(57)【要約】【課題】本発明は、光路を折り曲げる反射部材を有してなるデジタルカメラであって、衝撃の入力による反射部材の位置や傾きのずれの発生を防止することが可能な高い耐衝撃性を有するデジタルカメラを提供する。【解決手段】本発明は、光路を折り曲げる反射面を有する反射部材と、該反射部材を保持する保持枠と、光路に沿って配設されたレンズ群と、レンズ群を保持する固定枠と、を有し、保持枠が保持枠に穿設された貫通孔に挿通されるねじによって固定枠に固定されてなるデジタルカメラにおいて、保持枠と固定枠とは、保持枠及び固定枠のいずれか一方において複数の貫通孔と同軸に固設された複数の円錐面部のそれぞれに、保持枠及び固定枠のうちの円錐面部が固設されていない方において複数の貫通孔と同軸に形成された複数の円柱面部の角部の全周が接触した状態で固定されていることを特徴とする。【選択図】図３
2009217046.tif 000002
【特許請求の範囲】
【請求項１】
第１の光軸を該第１の光軸に直交する第２の光軸に折り曲げる反射面を有する反射部材と、
該反射部材を保持する保持枠と、
前記第２の光軸に沿って配設されたレンズ群と、
前記レンズ群を保持する固定枠と、
を有し、前記保持枠は前記保持枠に前記第２の光軸に平行に穿設された複数の貫通孔に挿通され前記固定枠に螺合される複数のねじによって前記固定枠に固定されてなる撮像光学系ユニットを筐体内に具備するデジタルカメラであって、
前記保持枠と前記固定枠とは、前記保持枠及び前記固定枠のいずれか一方において前記複数の貫通孔と同軸に固設された複数の円錐面部のそれぞれに、前記保持枠及び前記固定枠のうちの前記円錐面部が固設されていない方において前記複数の貫通孔と同軸に形成された複数の円柱面部の角部の全周が接触した状態で固定されていることを特徴とするデジタルカメラ。
【請求項２】
前記複数の円錐面部は、前記固定枠に螺合される前記複数のねじの頭部のそれぞれに形成されたテーパ面であり、
前記円柱面部は、前記保持枠に形成された前記複数の貫通孔の内周面であることを特徴とする請求項１に記載のデジタルカメラ。
【請求項３】
前記複数の円錐面部は、前記固定枠に凸設された複数の円形凸部の先端部に形成された先端方向に縮径する複数のテーパ面の外周面であり、
前記円柱面部は、前記保持枠に形成された前記複数の貫通孔の内周面であることを特徴とする請求項１に記載のデジタルカメラ。
【請求項４】
前記複数のねじの推力によって前記複数のテーパ面に接触している前記貫通孔の角部が弾性変形することにより、前記複数のねじの推力に応じて、前記保持枠と前記固定枠との距離及び角度が変化することを特徴とする請求項３に記載のデジタルカメラ。
【請求項５】
前記複数の円錐面部は、前記保持枠に形成された前記複数の貫通孔と同軸に凹設された深さ方向に縮径する複数のテーパ穴の内周面であり、
前記複数の円柱面部は、前記保持枠に凸設された複数の円形凸部の外周面であることを特徴とする請求項１に記載のデジタルカメラ。
【請求項６】
前記複数のねじの推力によって前記複数のテーパ穴の内周面に接触している前記円形凸部の角部が弾性変形することにより、前記複数のねじの推力に応じて、前記保持枠と前記固定枠との距離及び角度が変化することを特徴とする請求項５に記載のデジタルカメラ。
【発明の詳細な説明】
【技術分野】
【０００１】
本発明は、第１の光軸を該第１の光軸に直交する第２の光軸に折り曲げる反射面を有してなる結像光学系ユニットを具備したデジタルカメラに関する。
【背景技術】
【０００２】
被写体の静止画像又は動画像をＣＣＤ等の撮像素子により撮像するデジタルカメラの一形態として、撮像光学系にプリズムやミラーを配して光路を折り曲げるいわゆる折り曲げ光学系が適用されたものが知られている。
【０００３】
折り曲げ光学系を備えたデジタルカメラは、例えば特開２００４−３４８０８２号公報に開示されているように、被写体光をプリズムにより直角に折り曲げた後に、幅方向又は縦方向に配列されたレンズ群により撮像素子の受光面上に結像させるため、デジタルカメラの奥行きを薄くすることができるという利点を有する。
【０００４】
折り曲げ光学系を備えたデジタルカメラでは、例えば図９に示すような、被写体光束の光軸である第１の光軸Ｏ１を第２の光軸Ｏ２に直角に折り曲げる反射部材５０１と、第２の光軸Ｏ２上に配設された複数のレンズ群５０２と、レンズ群５０２の結像面に配設された撮像素子５０３とを有してなる撮像光学系ユニット５００が筐体内部に配設されている。
【０００５】
反射部材５０１は、例えば直角プリズムにより構成される。複数のレンズ群５０２及び撮像素子５０３に対する反射部材５０１の位置は、得られる像の歪や解像度に影響することから、撮像光学系ユニット５００を組み立てる場合には、複数のレンズ群５０２及び撮像素子５０３に対する反射部材５０１の位置が調整可能であることが好ましい。
【０００６】
このため、図１０に示すように、反射部材５０１を保持する保持枠５１０を、撮像光学系ユニット５００の骨格を構成する固定枠５２０とは別に形成し、保持枠５１０を複数のねじ５３０により締結する形態がとられる。この形態では、保持枠５１０と固定枠５２０との間に必要に応じて所定の厚さ又は所定の枚数のスペーサ５４０を挿入することにより、複数のレンズ群５０２及び撮像素子５０３に対する反射部材５０１の角度が調整される。
【０００７】
また、固定枠５２０には、保持枠５１０に形成された嵌合孔５１３に嵌合する位置決めピン５２３が立設されており、この嵌合孔５１３と位置決めピン５２３とのはめあいにより、固定枠５２０に対する保持枠５１０の第２の光軸Ｏ２に直交する方向の位置決めがなされている。
【特許文献１】特開２００４−３４８０８２号公報
【発明の開示】
【発明が解決しようとする課題】
【０００８】
図９及び図１０に示したデジタルカメラの撮像光学系ユニット５００においては、嵌合孔５１３と位置決めピン５２３とのはめあいにより固定枠５２０に対する保持枠５１０の第２の光軸Ｏ２に直交する方向の位置決めがなされているものの、嵌合孔５１３及び位置決めピン５２３の公差を考慮して両者間には隙間が存在する。
【０００９】
このため、撮像光学系ユニット５００に衝撃力が加えられた場合、保持枠５１０が、固定枠５２０に対して第２の光軸に直交する方向に移動してしまうことがある。すなわち、従来の構成では、衝撃の入力により、反射部材５０１の複数のレンズ群５０２に対する位置が変化してしまい、得られる像に歪や解像度不足が発生してしまうという問題があった。
【００１０】
このような、固定枠５２０に対する保持枠５１０の位置ずれを防止する方法として、例えば位置調整後に接着剤を流し込み、固定枠５２０と保持枠５１０とを強固に固定する方法が考えられるが、接着剤による固定は作業工数が増えてしまい作業が複雑になると共に、やり直しができないという問題がある。
【００１１】
また、固定枠５２０に対する保持枠５１０の位置ずれを防止する方法として、保持枠５１０にテーパ状のザグリ穴を設け、ねじ５３０を頭部がテーパ状のいわゆる皿ビスにすることにより、両者のテーパ同士を当接させることで位置決めを強固にする方法が考えられる。しかしながらこの方法では、ザグリ穴と皿ビスとの軸が公差によりずれている場合に、テーパ同士が一部でしか接触しない、いわゆる片当たりが生じてしまい、やはり衝撃力の入力によりこの軸ずれ量だけ保持枠５１０がずれてしまうという問題がある。
【００１２】
本発明は、上記問題点に鑑みてなされたものであり、第１の光軸を該第１の光軸に直交する第２の光軸に折り曲げる反射部材を有してなる結像光学系ユニットを具備したデジタルカメラであって、衝撃の入力による反射部材の位置や傾きのずれの発生を防止することが可能な高い耐衝撃性を有するデジタルカメラを提供することを目的とする。
【課題を解決するための手段】
【００１３】
本発明にかかるデジタルカメラは、第１の光軸を該第１の光軸に直交する第２の光軸に折り曲げる反射面を有する反射部材と、該反射部材を保持する保持枠と、前記第２の光軸に沿って配設されたレンズ群と、前記レンズ群を保持する固定枠と、を有し、前記保持枠は前記保持枠に前記第２の光軸に平行に穿設された複数の貫通孔に挿通され前記固定枠に螺合される複数のねじによって前記固定枠に固定されてなる撮像光学系ユニットを筐体内に具備するデジタルカメラであって、前記保持枠と前記固定枠とは、前記保持枠及び前記固定枠のいずれか一方において前記複数の貫通孔と同軸に固設された複数の円錐面部のそれぞれに、前記保持枠及び前記固定枠のうちの前記円錐面部が固設されていない方において前記複数の貫通孔と同軸に形成された複数の円柱面部の角部の全周が接触した状態で固定されていることを特徴とする。
【発明を実施するための最良の形態】
【００１４】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１５】
（第１の実施形態）  
以下、本発明の第１の実施形態について図１から図４を参照して説明する。本実施形態は、一般に電子カメラ、デジタルカメラ等と称される撮像装置に本発明を適用したものである。
【００１６】
図１は、デジタルカメラ前面側を示す斜視図である。図２は、撮像光学系ユニットの構成を説明する図である。図３は、保持枠を固定枠に固定する締結構造を説明する図である。図４は、保持枠と固定枠との締結部の断面を示す図である。
【００１７】
以下の説明において、図１に示すように、デジタルカメラを正立位置で構えた場合のカメラの左右方向をＸ方向とし、Ｘ方向と直交する上下方向をＹ方向とし、Ｘ、Ｙ方向に直交する前後方向をＺ方向とする。Ｚ方向は、被写体光束の光軸Ｏ１と平行な方向（デジタルカメラ１の厚み方向）であり、Ｚ方向にてカメラ本体１の被写体側を前側（前面側）とし、撮影者側を後側（背面側）とする。
【００１８】
デジタルカメラ１は、撮像光学系ユニット１００を内部に具備して構成されたデジタルカメラであり、略直方体の箱型形状からなる筐体を形成する外装部材と、この外装部材の内部に組み付けられる各種の組立体や電気回路等の構成部材と、この筐体の表面上に配設され前記内部構成部材と電気的又は機械的に接続された各種の情報入出力部材等によって主に構成されている。
【００１９】
具体的に本実施形態のデジタルカメラ１は、図１に示すように、前面、両側面、上面及び底面を覆うように形成された前面カバー部材２と、主に背面側を覆うように形成された背面カバー部材３とを組み合わせた箱形状の筐体を有する。この筐体の内部の所定の部位には撮像光学系ユニット１００が配設されている。
【００２０】
デジタルカメラ１の前面部には、内部に配設された撮像光学系ユニット１００に対して被写体光束を入射させるための撮影用窓２１や閃光発光装置４等が設けられている。
【００２１】
デジタルカメラ１の上面部にはシャッターボタン５、電源操作ボタン６等の操作部材が配設されている。また、図示しないがデジタルカメラ１の側面部にはストラップ取付金具や、電源電池及び記録媒体を収容する収容室等が設けられている。
【００２２】
また、デジタルカメラ１の背面部には、例えばズーム操作用ボタンや動作モード設定ボタンや撮影及び再生動作切換ボタンやメニュー表示操作ボタンや撮影領域切換ボタン（マクロボタン）やストロボモード切換ボタンやセルフタイマーボタンや露出補正切換ボタン等、使用者が本デジタルカメラ１の撮影動作時及び再生動作時に実行すべき各種の操作を入力するための複数の操作部材が設けられている。また、デジタルカメラ１の背面部には、液晶表示装置、ＥＬ表示装置等からなり情報を表示し出力する画像表示装置等も設けられている。
【００２３】
撮像光学系ユニット１００は、デジタルカメラ１の前面部に設けられた撮影用窓２１から入射する被写体光束を、反射部材１０１の反射面１０１ａによってＹ方向下向きに略直角に折り曲げるとともに、デジタルカメラ１の底面側に受光面を上向きとして配設された撮像素子であるＣＣＤ１０９の受光面上に被写体像を結像する、いわゆる折り曲げ光学系（屈曲光学系）を有して構成されている。本実施形態では、反射部材１０１は直角プリズムからなるが、反射部材１０１は平面又は曲面により構成される反射面を有する他の光学部材により構成されてもよい。
【００２４】
以下、撮影用窓２１を透過して撮像光学系ユニット１００に入射する被写体光束の光軸を第１の光軸Ｏ１と称し、該第１の光軸Ｏ１が反射部材１０１の反射面１０１ａにより折り曲げられた光軸を第２の光軸Ｏ２と称する。すなわち、第１の光軸Ｏ１と第２の光軸Ｏ２とは、直交する関係にある。
【００２５】
撮像光学系ユニット１００は、ＣＣＤ１０９の受光面上に被写体像を結像するためのレンズ、プリズム、フィルタ等からなる複数のレンズ群と、シャッタユニットと、該複数のレンズ群及びシャッタユニットを駆動する駆動装置と、が固定枠１２０に保持されて構成されている。
【００２６】
具体的には、本実施形態の撮像光学系ユニット１００を構成する光学系は、上述した反射部材１０１を含む第１レンズ群と、第２レンズ群１０２と、第３レンズ群１０３と、第４レンズ群１０４との４つのレンズ群により構成される。
【００２７】
反射部材１０１を含む第１レンズ群は、詳しくは後述するが枠部材である保持枠１１０により保持されており、該保持枠１１０は、固定枠１２０に形成されたねじ穴１２２に螺合する複数のねじ１３０により固定枠１２０に固定されている。
【００２８】
第２レンズ群１０２、第３レンズ群１０３及び第４レンズ群１０４は、第１レンズ群の下方において第２の光軸Ｏ２に沿って、それぞれ図示しない進退機構により第２の光軸Ｏ２に沿って進退移動可能に固定枠１２０内において保持されている。そして、第４群レンズ１０４の下方には、ＣＣＤ１０９が配設されている。
【００２９】
また、第２の光軸Ｏ２上において、第２群レンズ１０２と第３群レンズ１０３との間にシャッタユニット１０５が配設されている。また、固定枠１２０には、駆動装置としてのフォーカシングモータ１０６、ズーミングモータ１０７及び図示しないシャッタ駆動モータが配設されている。
【００３０】
例えば、デジタルカメラ１の合焦動作時には、フォーカシングモータ１０６の回転によって第４群レンズ１０４が光軸Ｏ２に沿って進退移動される。また、デジタルカメラ１のズーム動作時には、ズーミングモータ１０７の回転によって第２群レンズ枠１０２及び第３群レンズ１０３が第２の光軸Ｏ２に沿って進退移動される。
【００３１】
上述した構成を有する撮像光学系ユニット１００は、ゴムやウレタン等の弾性又は粘弾性を有する緩衝部材を介して、前面カバー部材２及び背面カバー部材３からなるデジタルカメラ１の筐体内に保持されている。
【００３２】
以下に、本実施形態のデジタルカメラ１の撮像光学系ユニット１００における、固定枠１２０に保持枠１１０を固定する構成を詳細に説明する。
【００３３】
保持枠１１０は、直角プリズムからなる反射部材１１０の互いに直交する２面である入射面及び出射面が、それぞれ前方及び下方に露出するように保持する枠状の部材である。保持枠１１０は、樹脂、金属又は複合材料等からなり、例えばＡＢＳ樹脂等の一般にエンジニアリングプラスチックと称される樹脂により構成される。
【００３４】
保持枠１１０には、第１の光軸Ｏ１及び第２の光軸Ｏ２に直交する軸に沿う両方向、すなわち左右両方向に延出する板状の固定片１１１が形成されている。保持枠１１０の固定片１１１には、複数箇所に第２の光軸Ｏ２に平行に貫通する円形の貫通孔１１２が穿設されている。この貫通孔１１２は、ねじ１３０のねじ部１３１を所定の隙間を有して挿通可能な内径を有している。
【００３５】
複数の貫通孔１１２は、第２の光軸Ｏ２に沿う方向から見て保持枠１１０が保持する反射部材１０１の周りを囲むように配設される。本実施形態では、保持枠１１０から左方向に延出する固定片１１１に２つの貫通孔１１２が穿設され、保持枠１１０から右方向に延出する固定片１１１に１つの貫通孔１１２が穿設されている。
【００３６】
また、固定片１１１には、後述する固定枠１２０に立設された位置決めピン１２３が内部に嵌め合わされる嵌合孔１１３が穿設されている。嵌合孔１１３は、第２の光軸Ｏ２に沿う方向から見て反射部材１０１を挟むように左右に一つずつ形成されている。
【００３７】
固定枠１２０は、上述したように複数のレンズ群と該複数のレンズ群を駆動する駆動装置とを、内部に配設可能なように形成された枠状の部材である。固定枠１２０は、樹脂、金属又は複合材料等からなり、例えばＡＢＳ樹脂等の一般にエンジニアリングプラスチックと称される樹脂により構成される。
【００３８】
固定枠１２０の、上記保持枠１１０が固定される部位である上面部１２１には、保持枠１１０の固定片１１１に対向する平面部１２４が形成されており、該平面部１２４には、保持枠１１０の複数の貫通孔１１２と同軸となる位置において、ねじ１３０のねじ部１３１が螺合される複数のねじ穴１２２が形成されている。本実施形態では、ねじ穴１２２は、３つの貫通孔１１２に対応する３箇所に形成されている。また、固定枠１２０の平面部１２４には、保持枠１１０の嵌合孔１１３に対応する位置に、一対の位置決めピン１２３が立設されている。
【００３９】
ねじ１３０は、樹脂、金属、木材又は複合材料等からなり、固定枠１１０のねじ穴１２２に螺合するねじ部１３１と、頭部１３２とから構成される。ねじ１３０の頭部１３２には、ねじ部１３１側に向かって所定の傾斜角度で縮径する円錐面状のテーパ面１３３が形成されている。
【００４０】
上記保持枠１１０は、固定片１１１の３つの貫通孔１１２にそれぞれ挿通される３つのねじ１３０により、固定枠１２０の上面部１２１に締結される。
【００４１】
また、本実施形態では、図３及び図４に示すように、必要に応じて所定の厚さの環状のスペーサ１４０が、３箇所のねじ穴１２２上に配設される。本実施形態では、該スペーサ１４０の枚数や厚さを変更することにより、固定枠１２０の平面部１２４と保持枠１１０の固定片１１１との距離を調節することができる。
【００４２】
保持枠１１０は、固定枠１２０に対して３箇所のねじ穴１２２に対応する３点で支持される形態であるため、本実施形態では、３箇所のねじ穴１２２のそれぞれにおいて、スペーサ１４０の枚数や厚さを適宜に変更することにより、固定枠１２０に対する保持枠１１０の角度を調整することができる。
【００４３】
言い換えれば、本実施形態の撮像光学系ユニット１においては、反射部材１０１の角度の調整は、保持枠１１０を固定枠１２０に固定する際に３箇所に配設されるスペーサ１４０の枚数や厚さを変更することにより行われる。
【００４４】
以上に説明したように、本実施形態のデジタルカメラ１の撮像光学系ユニット１００では、反射部材１０１を保持する保持枠１１０は、保持枠１１０に第２の光軸Ｏ２と平行に穿設された複数の円形の貫通孔１１２に挿通される複数のねじ１３０によって固定枠１２０にねじ締結により固定されている。
【００４５】
ここで、保持枠１１０が固定枠１２０に締結された状態における締結部に着目すると、図４に示すように、ねじ１３０の頭部１３２のテーパ面１３３上に、図４中に破線Ａで示すように、保持枠１１０の貫通孔１１２の内周面となる円柱面部の角部１１２ａの全周が接触した状態となる。
【００４６】
具体的には、保持枠１１０を固定枠１２０に押さえつけるねじ１３０の推力は、保持枠１１０に穿設された貫通孔１１２の内周面となる円柱面部の角部１１２ａを介してのみ保持枠１１０に伝えられる。したがって、貫通孔１１２とねじ１３０との軸がずれていたとしても、角部１１２ａがねじ１３０の推力に応じて弾性変形して押し込まれることにより、必ず角部１１２ａの全周がねじ１３０の頭部１３２のテーパ面１３３上に接触するのである。
【００４７】
このため、本実施形態においては、固定枠１２０に対する保持枠１１０の第２の光軸Ｏ２に直交する方向についての固定は、ねじ１３０の推力により発生する摩擦力のみではなく、固定枠１２０に固設された状態のねじ１３０の頭部１３２のテーパ面１３３上に貫通孔１１２の角部１１２ａの全周が当接することによってもなされる。これは、３箇所の締結部すべてにおいて同様である。
【００４８】
したがって、ねじ１３０の頭部１３２のテーパ面１３３上に貫通孔１１２の角部１１２ａの全周が当てついていることから、いわゆる片当たりがなく、反射部材１０１を保持する保持枠１１０は、固定枠１２０に対して強固に位置決めされており、第２の光軸Ｏ２に直交する方向に位置がずれてしまうことがない。
【００４９】
よって、本実施形態によれば、衝撃の入力によって撮像光学系ユニット１００における反射部材１０１の位置や傾きがずれてしまうことを防止することができるのであり、デジタルカメラ１は従来に比して高い耐衝撃性を有する。
【００５０】
（第２の実施形態）  
以下、本発明の第２の実施形態について、図５及び図６を参照して説明する。図５は、第２の実施形態における保持枠を固定枠に固定する締結構造を説明する図である。図６は、保持枠と固定枠との締結部の断面を示す図である。
【００５１】
第２の実施形態は、上述した第１の実施形態に対して撮像光学系ユニット１００における保持枠１１０を固定枠１２０に締結する構造のみが異なる。よって、以下ではこの相違点のみを説明するものとし、また、第１の実施形態と同様の構成要素については同一の符号を付し、その説明を適宜に省略するものとする。
【００５２】
第２の実施形態では、固定枠１２０の保持枠１１０が固定される平面部１２４上に、保持枠１１０の複数の貫通孔１１２と同軸となる位置において、複数の円形凸部１５０が凸設されている。本実施形態では、円形凸部１５０は、３つの貫通孔１１２に対応する３箇所に形成されている。
【００５３】
円形凸部１５０は、図６に示すように、その先端部に先端方向に向かって所定の角度で縮径する円錐面状のテーパ面１５１が形成されている。また、円形凸部１５０のテーパ面１５１の最大径は保持枠１１０に穿設された貫通孔１１２の内径よりも大きく、テーパ面１５１の最小径は保持枠１１０に穿設された貫通孔１１２の内径よりも小さい。また、円形凸部１５０の中心には、ねじ１６０のねじ部１６１が螺合されるねじ穴１５２が形成されている。
【００５４】
ねじ１６０は、樹脂、金属、木材又は複合材料等からなり、固定枠１１０のねじ穴１５２に螺合するねじ部１６１と、平面状の座面を有する頭部１６２とからなる。
【００５５】
以上に説明したように、本実施形態のデジタルカメラ１の撮像光学系ユニット１００では、反射部材１０１を保持する保持枠１１０は、保持枠１１０に第２の光軸Ｏ２と平行に穿設された複数の円形の貫通孔１１２に挿通される複数のねじ１６０によって固定枠１２０にねじ締結により固定されている。
【００５６】
ここで、保持枠１１０が固定枠１２０に締結された状態における締結部に着目すると、貫通孔１１２と同軸に配設された円形凸部１５０のテーパ面１５１が貫通孔１１２よりも大きい最大径を有するため、図６に示すように、固定枠１２０に凸設された円形凸部１５０のテーパ面１５１上に、保持枠１１０の貫通孔１１２の内周面となる円柱面部の角部１１２ｂの全周が接触した状態となる。
【００５７】
第１の実施形態と同様に、保持枠１１０を固定枠１２０に押さえつけるねじ１６０の推力は、保持枠１１０に穿設された貫通孔１１２の内周面となる円柱面部の角部１１２ｂのみに加えられる。したがって、貫通孔１１２と円形凸部１５０のテーパ面１５１との軸がずれていたとしても、角部１１２ｂがねじ１６０の推力に応じて弾性変形して押し込まれることにより、必ず角部１１２ｂの全周が円形凸部１５０のテーパ面１５１上に接触する。
【００５８】
このため、本実施形態においては、固定枠１２０に対する保持枠１１０の第２の光軸Ｏ２に直交する方向についての固定は、ねじ１６０の推力により発生する摩擦力のみではなく、固定枠１２０に凸設された円形凸部１５０のテーパ面１５１上に貫通孔１１２の角部１１２ｂの全周が当接することによってもなされる。これは、３箇所の締結部すべてにおいて同様である。
【００５９】
したがって、固定枠１２０に固定された複数のテーパ面１５１の全てに貫通孔１１２の角部１１２ｂの全周が当てついていることから、いわゆる片当たりがなく、反射部材１０１を保持する保持枠１１０は、固定枠１２０に対して強固に位置決めされており、第２の光軸Ｏ２に直交する方向に位置がずれてしまうことがない。
【００６０】
よって、本実施形態によれば、衝撃の入力によって撮像光学系ユニット１００における反射部材１０１の位置や傾きがずれてしまうことを防止することができるのであり、デジタルカメラ１は従来に比してより高い耐衝撃性を有するのである。
【００６１】
また、本実施形態では、保持枠１１０を固定枠１２０にねじ締結する３箇所の締結部において、ねじ１６０を締めこむ量に応じて、保持枠１１０の固定片１１１と、固定枠１２０の平面部１２４との距離を変化させることが可能である。
【００６２】
これは、弾性変形しやすい保持枠１１０の貫通孔１１２の角部１１２ｂの弾性変形量がねじ１６０の推力に応じて変化することから、ねじ１６０を締めこむほどに保持枠１１０の固定片１１１と、固定枠１２０の平面部１２４との距離ｄ１が小さくなるからである。逆に、ねじ１６０を緩める方向に回せば、押し込まれていた保持枠１１０の貫通孔１１２の角部１１２ｂが復元するため、保持枠１１０の固定片１１１と、固定枠１２０の平面部１２４との距離ｄ１が大きくなる。
【００６３】
本実施形態では、保持枠１１０は、固定枠１２０に対して３箇所の締結部の円形凸部１５０により３点支持されているため、この３箇所の締結部のそれぞれにおいて保持枠１１０の固定片１１１と固定枠１２０の平面部１２４との距離ｄ１を変化させることにより、固定枠１２０に対する保持枠１１０の角度を調整することができる。
【００６４】
すなわち、本実施形態によれば、反射部材１０１を有する撮像光学系ユニット１において、反射部材１０１の角度の調整を、スペーサ等の他の部材を用いることなく、ねじ１６０の締め込み量を変更するだけで容易に少ない工数で実施することができるのである。
【００６５】
（第３の実施形態）  
以下、本発明の第３の実施形態について、図７及び図８を参照して説明する。図７は、第３の実施形態における保持枠を固定枠に固定する締結構造を説明する図である。図８は、保持枠と固定枠との締結部の断面を示す図である。
【００６６】
第３の実施形態は、上述した第２の実施形態に対して撮像光学系ユニット１００における保持枠１１０を固定枠１２０に締結する構造のみが異なる。よって、以下ではこの相違点のみを説明するものとし、また、第２の実施形態と同様の構成要素については同一の符号を付し、その説明を適宜に省略するものとする。
【００６７】
第３の実施形態では、保持枠１１０の固定片１１１に穿設された複数の貫通孔１１２の固定枠１２０に対向する側に、貫通孔１１２と同軸に凹設され所定の角度で深さ方向に縮径する複数のテーパ穴１７０が設けられている。
【００６８】
また、固定枠１２０の保持枠１１０が固定される平面部１２４上には、保持枠１１０の複数の貫通孔１１２と同軸となる位置において、複数の円形凸部１８０が凸設されている。本実施形態では、円形凸部１８０は、３つの貫通孔１１２に対応する３箇所に形成されている。
【００６９】
円形凸部１８０は、図８に示すように円柱状であり、外周に円柱面部が形成されている。円形凸部１８０の外径は、保持枠１１０の固定片１１１に凹設されたテーパ穴１７０の最大径よりも小さく、かつ最小径よりも大きい。また、円形凸部１８０の中心には、ねじ１６０のねじ部１６１が螺合されるねじ穴１８２が形成されている。
【００７０】
本実施形態のデジタルカメラ１の撮像光学系ユニット１００では、反射部材１０１を保持する保持枠１１０は、保持枠１１０に第２の光軸Ｏ２と平行に穿設された複数の円形の貫通孔１１２に挿通される複数のねじ１６０によって固定枠１２０にねじ締結により固定される。
【００７１】
ここで、保持枠１１０が固定枠１２０に締結された状態における締結部に着目すると、貫通孔１１２と同軸に凹設されたテーパ穴１７０の内周面が円形凸部１８０の外径よりも大きい最大径を有するため、図８に示すように、固定枠１２０に凸設された円形凸部１８０の外周面となる円柱面部の角部１８０ａは、テーパ穴１７０の内周面上に全周が接触した状態となる。
【００７２】
第２の実施形態と同様に、保持枠１１０を固定枠１２０に押さえつけるねじ１６０の推力は、固定枠１２０に凸設された円形凸部１８０の外周面となる円柱面部の角部１８０ａのみに加えられる。したがって、円形凸部１８０とテーパ穴１７０との軸がずれていたとしても、角部１８０ａがねじ１６０の推力に応じて弾性変形して押し込まれることにより、必ず角部１８０ａの全周がテーパ穴１７０の内周面上に接触する。
【００７３】
このため、本実施形態においては、固定枠１２０に対する保持枠１１０の第２の光軸Ｏ２に直交する方向についての固定は、ねじ１６０の推力により発生する摩擦力のみではなく、保持枠１１０に凹設されたテーパ穴１７０の内周面上に円形凸部１８０の角部１８０ａの全周が当接することによってもなされる。これは、３箇所の締結部すべてにおいて同様である。
【００７４】
したがって、固定枠１２０に固定された複数の円形凸部１８０の角部１８０ａの全周が、保持枠１１０に固定された複数のテーパ穴１７０の内周面上に当てついていることから、いわゆる片当たりがなく、反射部材１０１を保持する保持枠１１０は、固定枠１２０に対して強固に位置決めされており、第２の光軸Ｏ２に直交する方向に位置がずれてしまうことがない。
【００７５】
よって、本実施形態によれば、衝撃の入力によって撮像光学系ユニット１００における反射部材１０１の位置や傾きがずれてしまうことを防止することができるのであり、デジタルカメラ１は従来に比してより高い耐衝撃性を有するのである。
【００７６】
また、本実施形態では、保持枠１１０を固定枠１２０にねじ締結する３箇所の締結部において、ねじ１６０を締めこむ量に応じて、保持枠１１０の固定片１１１と、固定枠１２０の平面部１２４との距離を変化させることが可能である。
【００７７】
これは、弾性変形しやすい円形凸部１８０の角部１８０ａの弾性変形量がねじ１６０の推力に応じて変化することから、ねじ１６０を締めこむほどに保持枠１１０の固定片１１１と、固定枠１２０の平面部１２４との距離ｄ２が小さくなるからである。逆に、ねじ１６０を緩める方向に回せば、押し込まれていた円形凸部１８０の角部１８０ａが復元するため、保持枠１１０の固定片１１１と、固定枠１２０の平面部１２４との距離ｄ２が大きくなる。
【００７８】
本実施形態では、保持枠１１０は、固定枠１２０に対して３箇所の締結部の円形凸部１８０により３点支持されているため、この３箇所の締結部のそれぞれにおいて保持枠１１０の固定片１１１と固定枠１２０の平面部１２４との距離ｄ２を変化させることにより、固定枠１２０に対する保持枠１１０の角度を調整することができる。
【００７９】
すなわち、本実施形態によれば、反射部材１０１を有する撮像光学系ユニット１において、反射部材１０１の角度の調整を、スペーサ等の他の部材を用いることなく、ねじ１６０の締め込み量を変更するだけで容易に少ない工数で実施することができる。
【００８０】
なお、本発明は、上述した実施形態に限られるものではなく、特許請求の範囲及び明細書全体から読み取れる発明の要旨或いは思想に反しない範囲で適宜変更可能であり、そのような変更を伴うデジタルカメラもまた本発明の技術的範囲に含まれるものである。
【００８１】
本発明に係るデジタルカメラは、上述の実施形態で説明した形態に限らず、録音機器、携帯電話、ＰＤＡ、ゲーム機、デジタルビデオカメラ、デジタルメディアプレーヤー、テレビ、ＧＰＳ、時計等の電子機器に配設された撮像装置であってもよいことは言うまでもない。
【図面の簡単な説明】
【００８２】
【図１】デジタルカメラ前面側を示す斜視図である。
【図２】撮像光学系ユニットの構成を説明する図である。
【図３】保持枠を固定枠に固定する締結構造を説明する図である。
【図４】保持枠と固定枠との締結部の断面を示す図である。
【図５】第２の実施形態における保持枠を固定枠に固定する締結構造を説明する図である。
【図６】保持枠と固定枠との締結部の断面を示す図である。
【図７】第３の実施形態における保持枠を固定枠に固定する締結構造を説明する図である。
【図８】保持枠と固定枠との締結部の断面を示す図である。
【図９】折り曲げ光学系を有する従来のデジタルカメラの撮像光学系ユニットの構成を説明する図である。
【図１０】従来のデジタルカメラにおける、保持枠を固定枠に固定する締結構造を説明する図である。
【符号の説明】
【００８３】
１  デジタルカメラ、  １００  撮像光学系ユニット、  １０１  反射部材、  １０１ａ  反射面、  １１０  保持枠、  １１１  固定片、  １１２  貫通孔、  １１３  嵌合孔、  １２０  固定枠、  １２１  上面部、  １２２  ねじ穴、  １２３  位置決めピン、  １２４  平面部、  １３０  ねじ、  １３１  ねじ部、  １３２  頭部、  １３３  テーパ面、  １４０  スペーサ
【図１】
2009217046.tif 000003
【図２】
2009217046.tif 000004
【図３】
2009217046.tif 000005
【図４】
2009217046.tif 000006
【図５】
2009217046.tif 000007
【図６】
2009217046.tif 000008
【図７】
2009217046.tif 000009
【図８】
2009217046.tif 000010
【図９】
2009217046.tif 000011
【図１０】
2009217046.tif 000012